(57)【要約】【課題】本発明は早く溶け且つ便利に洗浄できるコーヒーカップを開示した。【解決手段】主体と蓋を含み、前記主体の中には主チャンバが設置され、前記主チャンバの中には洗浄攪拌機構が設置され、前記蓋が前記主体に被せられ、前記蓋の中にはベルトチャンバが設置され、前記ベルトチャンバの中には前記洗浄攪拌機構に動力を伝達できるベルト機構が設置され、第二回転ブロックの回転を制御するのによって第二回転ブロックが攪拌軸又は洗浄軸を回転連動させ、それにより攪拌棒が主チャンバの中のコーヒーと熱水を攪拌し、洗浄軸に変更した後、ブラシの作用によって主チャンバの内壁を洗浄することを特徴に記載の早く溶け且つ便利に洗浄できるコーヒーカップ。【選択図】図１
2020175076.tif 000002
【特許請求の範囲】
【請求項１】
早く溶け且つ便利に洗浄できるコーヒーカップであって、主体と蓋を含み、前記主体の中には主チャンバが設置され、前記主チャンバの中には洗浄攪拌機構が設置され、前記蓋が前記主体に被せられ、前記蓋の中にはベルトチャンバが設置され、前記ベルトチャンバの中には前記洗浄攪拌機構に動力を伝達できるベルト機構が設置され、前記主チャンバの右側端壁の中には伝動チャンバが設置され、前記主体の右側端面には取手が固定的に設置され、前記取手の中にはスライドチャンバが設置され、前記スライドチャンバの中には前記洗浄攪拌機構に動力を提供する動力機構が設置され、前記洗浄攪拌機構は前記主チャンバの壁に回転できるように設置される第一回転ブロックを含み、前記第一回転ブロックの頂端には第一凹溝が設置され、前記蓋の底端には固定ブロックが固定的に設置され、前記固定ブロックの中には第二回転ブロックが回転できるように設置され、前記第二回転ブロックの底部端面には第二凹溝が設置され、前記第二凹溝と前記第一凹溝との間には攪拌軸が取り付けられ、前記攪拌軸を取り外して洗浄軸に変更でき、前記攪拌軸の外周には攪拌棒が固定的に設置され、前記洗浄軸の外周には洗浄板が固定的に設置され、前記洗浄板の外側にはブラシが固定的に設置され、第二回転ブロックの回転を制御するのによって第二回転ブロックが攪拌軸又は洗浄軸を回転連動させ、それにより攪拌棒が主チャンバの中のコーヒーと熱水を攪拌し、洗浄軸に変更した後、ブラシの作用によって主チャンバの内壁を洗浄することを特徴とする早く溶け且つ便利に洗浄できるコーヒーカップ。
【請求項２】
前記ベルト機構は前記主チャンバの底壁の中に回転できるように設置される第一回転軸を含み、前記第一回転軸の底端と前記第二回転ブロックの頂端とが固定的に連結され、前記第一回転軸と前記固定ブロックとが回転できるように係合され、前記第一回転軸の頂端には前記ベルトチャンバの中に位置する第一プーリが固定的に設置され、前記ベルトチャンバの中には第二回転軸が回転できるように設置され、前記第二回転軸の底部の伸びている部分が前記蓋の底端から伸び出し、前記ベルトチャンバの中に位置する前記第二回転軸の外周には第二プーリが固定的に設置され、前記第二プーリと前記第一プーリとの間がベルトによって伝動できるように連結され、前記伝動チャンバの中には上に伸びている第三回転軸が回転できるように設置され、前記主体の頂端には第三回転ブロックが回転できるように設置され、前記第三回転ブロックの底端と前記第三回転軸の頂端とが固定的に連結され、前記第三回転ブロックの頂端には第三凹溝が設置され、前記第三凹溝と前記第二回転軸の底端とが係合して連結され、前記第三回転軸の外周には第一リールが固定的に設置され、前記第一リールの頂部の前記伝動チャンバの中にはねじりばねが設置され、前記ねじりばねの一端と前記第三回転軸の外周とが固定され、前記ねじりばねのもう一端が前記伝動チャンバの片側内壁と固定され、第一リールを回転させることによって、第三回転軸を回転させ、それにより第三回転ブロックが第二回転軸を回転連動させ、第二プーリがベルトによって第一プーリを回転連動させ、それにより第一回転軸が第二回転ブロックを回転連動させ、それにより洗浄攪拌機構に動力を提供することを特徴とする請求項に記載の早く溶け且つ便利に洗浄できるコーヒーカップ。
【請求項３】
前記動力機構は前記スライドチャンバの中にスライドできるように設置される二組のスライダを含み、前記スライダの前側端面には第二リールが回転できるように設置され、前記スライドチャンバの左側端壁には上下に対称的な抜き溝が設置され、前記取手と前記主体の右端面との間にはガイドスライドロッドが固定的に設置され、前記ガイドスライドロッドには円弧形スライドボードがスライドできるように設置され、前記円弧形スライドボードの右端と前記取手との間には撥条が取り付けられ、前記円弧形スライドボードと前記スライダとの間が連動棒によってヒンジで連結され、前記第一リールには引き線が巻き付けられており、前記引き線が前記スライドチャンバの中から伸び出し且つ底部に位置する前記スライダを貫通してから頂部に位置する前記第二リールを経由して下へ底部に位置する前記第二リールと固定的に連結され、手動で取手を握るのによって、円弧形スライドボードを押え、二組のスライダを相互に遠離させ、それにより引き線が第一リールを引いて回転させ、同時にねじりばねが力を蓄え、第一リールが第三回転軸を回転連動させ、ベルト機構に経った後動力を洗浄攪拌機構に伝達し、円弧形スライドボードを放し、円弧形スライドボードが撥条の作用によって復帰し、二組のスライダを相互に接近させ、それにより第三回転軸がねじりばねの作用によって反方向に回転し、それにより洗浄攪拌機構を翻転連動させることができる。
【発明の詳細な説明】
【技術分野】
【０００１】
本発明はカップの技術分野を取り上げて、具体的には早く溶け且つ便利に洗浄できるコーヒーカップできる。
【背景技術】
【０００２】
現在市場のコーヒーカップはほとんど機能が単一な水を盛るカップであり、コーヒーを淹れる時、コーヒースプーンによって掻き混ぜて溶け、この方法はややこしく、それに伝統的なコーヒーカップは洗浄されにくく、そのため早く溶け且つ便利に洗浄できるコーヒーカップを設計する必要がある。
【先行技術文献】
【特許文献】
【０００３】
【特許文献１】中国特許出願公開第１０４７３９１５６号明細書
【発明の概要】
【発明が解決しようとする課題】
【０００４】
本発明の目的は早く溶け且つ便利に洗浄できるコーヒーカップを提供し、現有の技術の上記欠点を克服できる。
【課題を解決するための手段】
【０００５】
本発明の実施例における早く溶け且つ便利に洗浄できるコーヒーカップは、主体と蓋を含み、前記主体の中には主チャンバが設置され、前記主チャンバの中には洗浄攪拌機構が設置され、前記蓋が前記主体に被せられ、前記蓋の中にはベルトチャンバが設置され、前記ベルトチャンバの中には前記洗浄攪拌機構に動力を伝達できるベルト機構が設置され、前記主チャンバの右側端壁の中には伝動チャンバが設置され、前記主体の右側端面には取手が固定的に設置され、前記取手の中にはスライドチャンバが設置され、前記スライドチャンバの中には前記洗浄攪拌機構に動力を提供する動力機構が設置され、前記洗浄攪拌機構は前記主チャンバの壁に回転できるように設置される第一回転ブロックを含み、前記第一回転ブロックの頂端には第一凹溝が設置され、前記蓋の底端には固定ブロックが固定的に設置され、前記固定ブロックの中には第二回転ブロックが回転できるように設置され、前記第二回転ブロックの底部端面には第二凹溝が設置され、前記第二凹溝と前記第一凹溝との間には攪拌軸が取り付けられ、前記攪拌軸を取り外して洗浄軸に変更でき、前記攪拌軸の外周には攪拌棒が固定的に設置され、前記洗浄軸の外周には洗浄板が固定的に設置され、前記洗浄板の外側にはブラシが固定的に設置され、第二回転ブロックの回転を制御するのによって第二回転ブロックが攪拌軸又は洗浄軸を回転連動させ、それにより攪拌棒が主チャンバの中のコーヒーと熱水を攪拌し、洗浄軸に変更した後、ブラシの作用によって主チャンバの内壁を洗浄する。
【０００６】
更なる技術方案、前記ベルト機構は前記主チャンバの底壁の中に回転できるように設置される第一回転軸を含み、前記第一回転軸の底端と前記第二回転ブロックの頂端とが固定的に連結され、前記第一回転軸と前記固定ブロックとが回転できるように係合され、前記第一回転軸の頂端には前記ベルトチャンバの中に位置する第一プーリが固定的に設置され、前記ベルトチャンバの中には第二回転軸が回転できるように設置され、前記第二回転軸の底部の伸びている部分が前記蓋の底端から伸び出し、前記ベルトチャンバの中に位置する前記第二回転軸の外周には第二プーリが固定的に設置され、前記第二プーリと前記第一プーリとの間がベルトによって伝動できるように連結され、前記伝動チャンバの中には上に伸びている第三回転軸が回転できるように設置され、前記主体の頂端には第三回転ブロックが回転できるように設置され、前記第三回転ブロックの底端と前記第三回転軸の頂端とが固定的に連結され、前記第三回転ブロックの頂端には第三凹溝が設置され、前記第三凹溝と前記第二回転軸の底端とが係合して連結され、前記第三回転軸の外周には第一リールが固定的に設置され、前記第一リールの頂部の前記伝動チャンバの中にはねじりばねが設置され、前記ねじりばねの一端と前記第三回転軸の外周とが固定され、前記ねじりばねのもう一端が前記伝動チャンバの片側内壁と固定され、第一リールを回転させることによって、第三回転軸を回転させ、それにより第三回転ブロックが第二回転軸を回転連動させ、第二プーリがベルトによって第一プーリを回転連動させ、それにより第一回転軸が第二回転ブロックを回転連動させ、それにより洗浄攪拌機構に動力を提供する。
【０００７】
更なる技術方案、前記動力機構は前記スライドチャンバの中にスライドできるように設置される二組のスライダを含み、前記スライダの前側端面には第二リールが回転できるように設置され、前記スライドチャンバの左側端壁には上下に対称的な抜き溝が設置され、前記取手と前記主体の右端面との間にはガイドスライドロッドが固定的に設置され、前記ガイドスライドロッドには円弧形スライドボードがスライドできるように設置され、前記円弧形スライドボードの右端と前記取手との間には撥条が取り付けられ、前記円弧形スライドボードと前記スライダとの間が連動棒によってヒンジで連結され、前記第一リールには引き線が巻き付けられており、前記引き線が前記スライドチャンバの中から伸び出し且つ底部に位置する前記スライダを貫通してから頂部に位置する前記第二リールを経由して下へ底部に位置する前記第二リールと固定的に連結され、手動で取手を握るのによって、円弧形スライドボードを押え、二組のスライダを相互に遠離させ、それにより引き線が第一リールを引いて回転させ、同時にねじりばねが力を蓄え、第一リールが第三回転軸を回転連動させ、ベルト機構に経った後動力を洗浄攪拌機構に伝達し、円弧形スライドボードを放し、円弧形スライドボードが撥条の作用によって復帰し、二組のスライダを相互に接近させ、それにより第三回転軸がねじりばねの作用によって反方向に回転し、それにより洗浄攪拌機構を翻転連動させることができる。
【０００８】
コーヒーを淹れる時、まずはコーヒーと水を主チャンバの中に入れ、攪拌軸を第一凹溝の中に差し込み、蓋をかぶせ、攪拌軸の頂端を第二凹溝の中に差し込み、第二回転軸の底端を第三凹溝の中に差し込み、この時、取手を持ち、手動で円弧形スライドボードを押え、二組のスライダを相互に遠離させ、それにより引き線が第一リールを引いて回転させ、同時にねじりばねが力を蓄え、第一リールが第三回転軸を回転連動させ、それにより第三回転ブロックが第二回転軸を回転連動させ、第二プーリがベルトによって第一プーリを回転連動させ、それにより第一回転軸が第二回転ブロックを回転連動させ、第二回転ブロックが攪拌軸を回転連動させ、それにより攪拌棒が主チャンバの中のコーヒーと熱水を攪拌でき、飲んだ後、攪拌軸を洗浄軸に変更し、同じ操作を繰り返し、ブラシの作用によって主チャンバの内壁を洗浄する。
【発明の効果】
【０００９】
本発明の有益な効果は下記の通りである：
【００１０】
伝統的なコーヒーカップと比べると、本発明のコーヒーカップはコーヒー淹れの効率の向上を実現でき、それに飲んだ後攪拌軸を洗浄軸に変更するだけで、コーヒーカップを便利に早くきれいに洗浄でき、便利に普及できる。
【図面の簡単な説明】
【００１１】
【図１】図１は本発明の早く溶け且つ便利に洗浄できるコーヒーカップの内部全体構成模式図
【図２】図２は本発明の洗浄軸の模式図
【図３】図３は本発明の図１のＡの局部の拡大模式図
【図４】図４は本発明の図１のＢの局部の拡大模式図
【図５】図５は本発明の図１のＣの局部の拡大模式図
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明の実施例における早く溶け且つ便利に洗浄できるコーヒーカップは、主体１０と蓋１１を含み、前記主体１０の中には主チャンバ１２が設置され、前記主チャンバ１２の中には洗浄攪拌機構７０が設置され、前記蓋１１が前記主体１０に被せられ、前記蓋１１の中にはベルトチャンバ２９が設置され、前記ベルトチャンバ２９の中には前記洗浄攪拌機構７０に動力を伝達できるベルト機構７１が設置され、前記主チャンバ１２の右側端壁の中には伝動チャンバ４５が設置され、前記主体１０の右側端面には取手１５が固定的に設置され、前記取手１５の中にはスライドチャンバ１９が設置され、前記スライドチャンバ１９の中には前記洗浄攪拌機構７０に動力を提供する動力機構７２が設置され、前記洗浄攪拌機構７０は前記主チャンバ１２の壁に回転できるように設置される第一回転ブロック１８を含み、前記第一回転ブロック１８の頂端には第一凹溝５１が設置され、前記蓋１１の底端には固定ブロック３１が固定的に設置され、前記固定ブロック３１の中には第二回転ブロック３２が回転できるように設置され、前記第二回転ブロックの底部端面には第二凹溝３３が設置され、前記第二凹溝３３と前記第一凹溝５１との間には攪拌軸１６が取り付けられ、前記攪拌軸１６を取り外して洗浄軸２３に変更でき、前記攪拌軸１６の外周には攪拌棒１７が固定的に設置され、前記洗浄軸２３の外周には洗浄板２４が固定的に設置され、前記洗浄板２４の外側にはブラシ２６が固定的に設置され、第二回転ブロック３２の回転を制御するのによって第二回転ブロック３２が攪拌軸１６又は洗浄軸２３を回転連動させ、それにより攪拌棒１７が主チャンバ１２の中のコーヒーと熱水を攪拌し、洗浄軸２３に変更した後、ブラシ２６の作用によって主チャンバ１２の内壁を洗浄する。
【００１４】
前記ベルト機構７１は前記主チャンバ１２の底壁の中に回転できるように設置される第一回転軸３０を含み、前記第一回転軸３０の底端と前記第二回転ブロック３２の頂端とが固定的に連結され、前記第一回転軸３０と前記固定ブロック３１とが回転できるように係合され、前記第一回転軸３０の頂端には前記ベルトチャンバ２９の中に位置する第一プーリ２８が固定的に設置され、前記ベルトチャンバ２９の中には第二回転軸３５が回転できるように設置され、前記第二回転軸３５の底部の伸びている部分が前記蓋１１の底端から伸び出し、前記ベルトチャンバ２９の中に位置する前記第二回転軸３５の外周には第二プーリ３６が固定的に設置され、前記第二プーリ３６と前記第一プーリ２８との間がベルト３７によって伝動できるように連結され、前記伝動チャンバ４５の中には上に伸びている第三回転軸４７が回転できるように設置され、前記主体１０の頂端には第三回転ブロック３４が回転できるように設置され、前記第三回転ブロック３４の底端と前記第三回転軸４７の頂端とが固定的に連結され、前記第三回転ブロック３４の頂端には第三凹溝３８が設置され、前記第三凹溝３８と前記第二回転軸３５の底端とが係合して連結され、前記第三回転軸４７の外周には第一リール４４が固定的に設置され、前記第一リール４４の頂部の前記伝動チャンバ４５の中にはねじりばね４６が設置され、前記ねじりばね４６の一端と前記第三回転軸４７の外周とが固定され、前記ねじりばね４６のもう一端が前記伝動チャンバ４５の片側内壁と固定され、第一リール４４を回転させることによって、第三回転軸４７を回転させ、それにより第三回転ブロック３４が第二回転軸３５を回転連動させ、第二プーリ３６がベルト３７によって第一プーリ２８を回転連動させ、それにより第一回転軸３０が第二回転ブロック３２を回転連動させ、それにより洗浄攪拌機構７０に動力を提供する。
【００１５】
前記動力機構７２は前記スライドチャンバ１９の中にスライドできるように設置される二組のスライダ４１を含み、前記スライダ４１の前側端面には第二リール４２が回転できるように設置され、前記スライドチャンバ１９の左側端壁には上下に対称的な抜き溝４０が設置され、前記取手１５と前記主体１０の右端面との間にはガイドスライドロッド２２が固定的に設置され、前記ガイドスライドロッド２２には円弧形スライドボード２１がスライドできるように設置され、前記円弧形スライドボード２１の右端と前記取手１５との間には撥条５０が取り付けられ、前記円弧形スライドボード２１と前記スライダ４１との間が連動棒２０によってヒンジで連結され、前記第一リール４４には引き線４３が巻き付けられており、前記引き線４３が前記スライドチャンバ１９の中から伸び出し且つ底部に位置する前記スライダ４１を貫通してから頂部に位置する前記第二リール４２を経由して下へ底部に位置する前記第二リール４２と固定的に連結され、手動で取手１５を握るのによって、円弧形スライドボード２１を押え、二組のスライダ４１を相互に遠離させ、それにより引き線４３が第一リール４４を引いて回転させ、同時にねじりばね４６が力を蓄え、第一リール４４が第三回転軸４７を回転連動させ、ベルト機構７１に経った後動力を洗浄攪拌機構７０に伝達し、円弧形スライドボード２１を放し、円弧形スライドボード２１が撥条５０の作用によって復帰し、二組のスライダ４１を相互に接近させ、それにより第三回転軸４７がねじりばね４６の作用によって反方向に回転し、それにより洗浄攪拌機構７０を翻転連動させることができる。
【００１６】
コーヒーを淹れる時、まずはコーヒーと水を主チャンバ１２の中に入れ、攪拌軸１６を第一凹溝５１の中に差し込み、蓋１１をかぶせ、攪拌軸１６の頂端を第二凹溝３３の中に差し込み、第二回転軸３５の底端を第三凹溝３８の中に差し込み、この時、取手１５を持ち、手動で円弧形スライドボード２１を押え、二組のスライダ４１を相互に遠離させ、それにより引き線４３が第一リール４４を引いて回転させ、同時にねじりばね４６が力を蓄え、第一リール４４が第三回転軸４７を回転連動させ、それにより第三回転ブロック３４が第二回転軸３５を回転連動させ、第二プーリ３６がベルト３７によって第一プーリ３８を回転連動させ、それにより第一回転軸３０が第二回転ブロック３２を回転連動させ、第二回転ブロック３２が攪拌軸１６を回転連動させ、それにより攪拌棒１７が主チャンバ１２の中のコーヒーと熱水を攪拌でき、飲んだ後、攪拌軸１６を洗浄軸２３に変更し、同じ操作を繰り返し、ブラシ２６の作用によって主チャンバ１２の内壁を洗浄する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175076.tif 000003
【図２】
2020175076.tif 000004
【図３】
2020175076.tif 000005
【図４】
2020175076.tif 000006
【図５】
2020175076.tif 000007
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
早く溶け且つ便利に洗浄できるコーヒーカップであって、主体と蓋を含み、前記主体の中には主チャンバが設置され、前記主チャンバの中には洗浄攪拌機構が設置され、前記蓋が前記主体に被せられ、前記蓋の中にはベルトチャンバが設置され、前記ベルトチャンバの中には前記洗浄攪拌機構に動力を伝達できるベルト機構が設置され、前記主チャンバの右側端壁の中には伝動チャンバが設置され、前記主体の右側端面には取手が固定的に設置され、前記取手の中にはスライドチャンバが設置され、前記スライドチャンバの中には前記洗浄攪拌機構に動力を提供する動力機構が設置され、前記洗浄攪拌機構は前記主チャンバの壁に回転できるように設置される第一回転ブロックを含み、前記第一回転ブロックの頂端には第一凹溝が設置され、前記蓋の底端には固定ブロックが固定的に設置され、前記固定ブロックの中には第二回転ブロックが回転できるように設置され、前記第二回転ブロックの底部端面には第二凹溝が設置され、前記第二凹溝と前記第一凹溝との間には攪拌軸が取り付けられ、前記攪拌軸を取り外して洗浄軸に変更でき、前記攪拌軸の外周には攪拌棒が固定的に設置され、前記洗浄軸の外周には洗浄板が固定的に設置され、前記洗浄板の外側にはブラシが固定的に設置され、第二回転ブロックの回転を制御するのによって第二回転ブロックが攪拌軸又は洗浄軸を回転連動させ、それにより攪拌棒が主チャンバの中のコーヒーと熱水を攪拌し、洗浄軸に変更した後、ブラシの作用によって主チャンバの内壁を洗浄でき、
前記動力機構は前記スライドチャンバの中にスライドできるように設置される二組のスライダを含み、前記スライダの前側端面には第二リールが回転できるように設置され、前記スライドチャンバの左側端壁には上下に対称的な抜き溝が設置され、前記取手と前記主体の右端面との間にはガイドスライドロッドが固定的に設置され、前記ガイドスライドロッドには円弧形スライドボードがスライドできるように設置され、前記円弧形スライドボードの右端と前記取手との間には撥条が取り付けられ、前記円弧形スライドボードと前記スライダとの間が連動棒によってヒンジで連結され、前記第一リールには引き線が巻き付けられており、前記引き線が前記スライドチャンバの中から伸び出し且つ底部に位置する前記スライダを貫通してから頂部に位置する前記第二リールを経由して下へ底部に位置する前記第二リールと固定的に連結され、手動で取手を握るのによって、円弧形スライドボードを押え、二組のスライダを相互に遠離させ、それにより引き線が第一リールを引いて回転させ、同時にねじりばねが力を蓄え、第一リールが第三回転軸を回転連動させ、ベルト機構に経った後動力を洗浄攪拌機構に伝達し、円弧形スライドボードを放し、円弧形スライドボードが撥条の作用によって復帰し、二組のスライダを相互に接近させ、それにより第三回転軸がねじりばねの作用によって反方向に回転し、それにより洗浄攪拌機構を翻転連動させることができることを特徴とする早く溶け且つ便利に洗浄できるコーヒーカップ。
【請求項２】
前記ベルト機構は前記主チャンバの底壁の中に回転できるように設置される第一回転軸を含み、前記第一回転軸の底端と前記第二回転ブロックの頂端とが固定的に連結され、前記第一回転軸と前記固定ブロックとが回転できるように係合され、前記第一回転軸の頂端には前記ベルトチャンバの中に位置する第一プーリが固定的に設置され、前記ベルトチャンバの中には第二回転軸が回転できるように設置され、前記第二回転軸の底部の伸びている部分が前記蓋の底端から伸び出し、前記ベルトチャンバの中に位置する前記第二回転軸の外周には第二プーリが固定的に設置され、前記第二プーリと前記第一プーリとの間がベルトによって伝動できるように連結され、前記伝動チャンバの中には上に伸びている第三回転軸が回転できるように設置され、前記主体の頂端には第三回転ブロックが回転できるように設置され、前記第三回転ブロックの底端と前記第三回転軸の頂端とが固定的に連結され、前記第三回転ブロックの頂端には第三凹溝が設置され、前記第三凹溝と前記第二回転軸の底端とが係合して連結され、前記第三回転軸の外周には第一リールが固定的に設置され、前記第一リールの頂部の前記伝動チャンバの中にはねじりばねが設置され、前記ねじりばねの一端と前記第三回転軸の外周とが固定され、前記ねじりばねのもう一端が前記伝動チャンバの片側内壁と固定され、第一リールを回転させることによって、第三回転軸を回転させ、それにより第三回転ブロックが第二回転軸を回転連動させ、第二プーリがベルトによって第一プーリを回転連動させ、それにより第一回転軸が第二回転ブロックを回転連動させ、それにより洗浄攪拌機構に動力を提供することを特徴とする請求項１に記載の早く溶け且つ便利に洗浄できるコーヒーカップ。